(57)【要約】【課題】  一般的に足の甲が甲高である日本人をはじめとするアジア人にとっても装着が簡単でかつ使用感がよく、効果的に的に足の甲のアーチ形状を矯正することができる、人間の足の甲の形状矯正用器具に人間の足を固定するための固定具を提供する。【解決手段】  人間の足の甲の形状矯正用器具に人間の足を固定するための固定具を、伸縮性のない布状の部材からなり、前記布状部材の形状が、対向する１対の円弧状の長短の２辺であって短い方の１辺が長い方の１辺の方向に向って凸出し長い方の１辺も同方向に凸出している２辺と、その円弧状の長短の２辺の両端を略直線で結んだ４辺からなる、略円錐台の側面の展開形状様の形状であり、前記固定具を利用者の足と前記矯正用器具との周囲に巻着するための締着部材を備えるように構成する。【選択図】        図１
0003179273.tif 000002
【実用新案登録請求の範囲】
【請求項１】
人間の足の甲の形状矯正用器具に人間の足を固定するための固定具であって、
伸縮性のない布状の部材からなり、前記布状部材の形状が、対向する１対の円弧状の長短の２辺であって短い方の１辺が長い方の１辺の方向に向って凸出し長い方の１辺も同方向に凸出している２辺と、その円弧状の長短の２辺の両端を略直線で結んだ４辺からなる、略円錐台の側面の展開形状様の形状であり、前記固定具を利用者の足と前記矯正用器具との周囲に巻着するための締着部材を備えることを特徴とする固定具。
【請求項２】
請求項１記載の固定具において、
前記締着部材が一又は複数の伸縮性のない紐状部材であることを特徴とする固定具。
【請求項３】
請求項１に記載の固定具において、
前記締着部材が、伸縮性のないベルト状の部材とベルト係止部材とで構成されていることを特徴とする固定具。
【請求項４】
請求項１乃至請求項３のいずれか１項に記載の固定具において、
前記固定具が、表裏両面に面ファスナーを備えていることを特徴とする固定具。
【考案の詳細な説明】
【技術分野】
【０００１】
本考案は、人間の足の甲の形状矯正用器具に人間の足を固定するための固定具に関する。
【背景技術】
【０００２】
主に女性のバレエダンサーにおいては、足先を固めたトゥシューズを着用して舞踊を演じるが、その際足の甲の反り形状が美的評価に影響するだけでなく、足の筋力のみならず足の甲のアーチ型が適切な形状であることがバレエ特有の爪先立ちで踊るためには重要な要素となる。
【０００３】
また、主にバレエシューズを着用する男性のバレエダンサーにおいても、美的評価並びに舞踊の能力向上のためには、足の甲のアーチを適切な形状に矯正することが重要である。
【０００４】
そこで、足の甲のアーチ形状を矯正するための矯正用器具として、バレエダンサーの土踏まずから踵、ふくらはぎにかけて密着させてストレッチ運動をするための矯正用器具が知られている（特許文献１）。
【先行技術文献】
【特許文献】
【０００５】
【特許文献１】米国特許公報第６０４２５２０号
【考案の概要】
【考案が解決しようとする課題】
【０００６】
しかし、上述した特許文献１のような矯正器具は、一般的に足の甲の高さが低い欧米人を対象としているため、利用者の足を矯正器具に固定するための固定具として弾力のあるチューブ上の部材を用いているが、日本人をはじめとするアジア人は一般的に足の甲が欧米人より甲高であり、弾力のあるチューブ上部材で利用者の足を矯正器具に固定しようとしても弾力性のあるチューブ上部材をうまく装着することが困難な上に、装着感が悪く足の甲のアーチ形状の矯正に十分な効果をあげることが困難であった。
【０００７】
本考案はこのような事情に鑑みてなされたものであり、一般的に足の甲が甲高である日本人をはじめとするアジア人にとっても装着が簡単でかつ使用感がよく、効果的に的に足の甲のアーチ形状を矯正することができる、人間の足の甲の形状矯正用器具に人間の足を固定するための固定具を提供することを目的とする。
【課題を解決するための手段】
【０００８】
このような目的に応えるために本考案（請求項１記載の考案）に係る固定具は、人間の足の甲の形状矯正用器具に人間の足を固定するための固定具であって、伸縮性のない布状の部材からなり、前記布状部材の形状が、対向する１対の円弧状の長短の２辺であって短い方の１辺が長い方の１辺の方向に向って凸出し長い方の１辺も同方向に凸出している前記２辺と、その円弧状の長短の２辺の両端を略直線で結んだ４辺からなる、略円錐台の側面の展開形状様の形状であることを特徴とする。
【０００９】
このような構成によれば、一般的に足の甲が甲高である日本人をはじめとするアジア人にとって、弾力性のある固定部材を爪先方向から巻き上げることによって固定するよりも、巻き上げの途中で弾力性のある固定部材が足の甲に引っかかることがなく、前記固定具を締着部材により巻着することで容易に利用者の足と前記足の甲の形状矯正用器具を固定することができる上に、伸縮性がないためよりしっかりと利用者の足と前記足の甲の形状矯正用器具を固定することができるという利点がある。
【００１０】
本考案（請求項２記載の考案）に係る固定具は、請求項１に記載の固定具において、前記締着部材が一又は複数の伸縮性のない紐状部材であることを特徴とする。
【００１１】
このような構成によれば、紐状部材を結ぶことにより、容易にかつしっかりと、利用者の足と前記足の甲の形状矯正用器具を固定することができるという利点がある。
【００１２】
本考案（請求項３記載の考案）に係る固定具は、請求項１に記載の固定具において、前記締着部材が、伸縮性のないベルト状の部材とベルト係止部材とで構成されていることを特徴とする。
【００１３】
このような構成によれば、さらに簡単な操作で容易にかつしっかりと、利用者の足と前記足の甲の形状矯正用器具を固定することができるという利点がある。
【００１４】
本考案（請求項４記載の考案）に係る折りたたみ式収納箱は、請求項１乃至請求項３のいずれか１項に記載の固定具において、前記固定具が、表裏両面に面ファスナーを備えていることを特徴とする。
【００１５】
このような構成によれば、前記締着部材だけで巻着するよりも、前記固定具が前記足の甲の形状矯正用器具と利用者の足をよりしっかりと固定し、安定した使用感を得ることができるという利点がある。
【考案の効果】
【００１６】
以上説明したように本考案に係る固定具によれば、一般的に足の甲が甲高である日本人をはじめとするアジア人にとって、前記足の甲の形状矯正用器具と利用者の足を容易に固定できる上にしっかりと固定し、安定した使用感を得ることができるという優れた効果がある。
【図面の簡単な説明】
【００１７】
【図１】本考案に係る足の甲の形状矯正用器具用の固定具の一実施例を示し、固定具を利用者の足と矯正用器具に巻着する際の外側表面の図である。
【図２】図１の固定具の裏面の図である。
【図３】本考案に係る足の甲の形状矯正用器具と利用者の足に固定具を巻着した際の図である。
【図４】図３における足の甲の形状矯正用器具の単体の側面図である。
【考案を実施するための形態】
【００１８】
本考案は以上のような構成であるので、これを図面に基づきながら本考案の実施の形態を説明する。
すなわち、本考案に係る固定具は、巻着時に利用者の足の甲に引っかかることがなく、容易に巻着することができる上に、伸縮性がないためずれにくく、安定した使用感を得ることができるように構成されている。
【実施例】
【００１９】
図１は本考案に係る固定具の一実施例を示す。
これらの図において、全体を符号１０で示すものは本考案を特徴づける固定具である。
【００２０】
図１において、符号２０は、本考案に係る固定具１０を構成する略円錐台の側面の展開形状様の形状の固定具本体であり、該固定具１０はこの本体２０にベルト２１とベルト固定用リング２２と面ファスナー２３を装着することにより構成される。
【００２１】
図２は前記固定具本体２０の裏面であり、図１において表面に装着された面ファスナー２３と図２で裏面に装着された面ファスナー２３が係着されるように構成されている。
【００２２】
図３は前記固定具１０によって固定具本体２０のベルトが装着された方の面を外側として、利用者の足４１を乗せた足の甲の形状矯正器具３１と一緒に巻着し、ベルト２１で締着した状態の図である。ベルトは２個のベルト固定用リングをくぐらせることにより固定される。
【００２３】
図４は、足の甲の形状矯正器具３１本体の形状を示す側面図である。該形状矯正器具は、足の甲の形状を適切に矯正するように凹凸が設けられている。
【００２４】
なお、本考案は上述した実施の形態で説明した構造には限定されず、各部の形状、構造等を適宜変形、変更し得ることはいうまでもない。
例えば、上述した実施形態では、固定具１０を足の甲の形状矯正器具３１と利用者の足４１に巻着する際には締着具としてベルトとベルト固定用リングを用いているが、これに代えて紐状部材を用いてもよい。
また、固定具本体２０の両面に設けられた面ファスナー２３だけでも、一定の締着効果を得ることができる。
【符号の説明】
【００２５】
１０  足の甲の形状矯正用器具用の固定具
２０  固定具本体
２１  ベルト
２２  ベルト固定用リング
２３  面ファスナー
３１  足の甲の形状矯正用器具
４１  利用者の足
【図１】
0003179273.tif 000003
【図２】
0003179273.tif 000004
【図３】
0003179273.tif 000005
【図４】
0003179273.tif 000006